(57)【要約】      （修正有）【課題】液体濾過装置の濾紙が破れる原因を究明し、濾紙破れを防止し得る液体濾過装置を提供する。【解決手段】濾紙破れの原因は、台板１８上の濾紙２０に掛かる押圧力の不均等によることを見出し、押圧力の均等化により濾紙破れを防止するもので、内部が空洞の台板１８の上下両面に濾紙２０が配置されてなる複数の濾紙エレメント８を基台４上に、リング状の濾枠６を介して積み重ね最上部に上部押え部材４２を載せ、その外周部付近を基台４に立設した濾枠締付ボルト２８に螺着したナット２７により締め付けて濾過エレメント８の周辺部を押圧すると共にこれにより上部押え部材４２の中央部が濾過エレメント８の中心部の管状部１４に当接して総ての濾過エレメント８に均等に押圧力が掛かるように構成した。また、上部押え部材４２の中心部にウエイト５４を載せた状態で、ナット２７をスパナ等を使用せずに手の指で締付け、押圧力を均等にすることもできる。【選択図】図１
0003115804.tif 000002
【実用新案登録請求の範囲】
【請求項１】
濾過槽内に配置される液体濾過装置であって、多数の小孔を有する導管が立設された基台上には、リング状の濾枠、濾過エレメントの順に所要段数積み重ね、しかも濾過エレメントは互いに対向する頂角の大きな傘状の外壁部が内側に空洞を生ずる状態に一体化されると共に両外壁部の中心部間には内側に貫通孔を有する管状部が設けられると共に管状部と両外壁部には複数の小孔が形成されてなる台板とこの台板の両面に配置された濾紙を備えて構成され、かつ濾過エレメントは管状部内の貫通孔が前記導管に挿通された状態に配置され、さらに濾枠、濾過エレメントが所要段数積み重ねられたその上方にリング状の濾枠押えを配置し、一方基台上には濾過エレメントの外周部を取り巻く位置に複数の濾枠締付ボルトが立設され、このボルトを濾枠押えのボルト孔に挿通後ナットで締め付けることにより濾枠を介して濾過エレメントの周縁部を押圧可能とすると共に前記導管内に立設されたセンターボルトの上端に座板を嵌め入れてからナットで締め付けることにより各濾過エレメントの管状部端面を当接させて閉塞することを可能とし、濾過槽内に供給された液体は濾紙を浸透し、濾過されて濾過エレメントの小孔を通り導管に設けた小孔を経て導管内に入り導管の一端側から流出させ得るようにした液体濾過装置において、
前記センターボルトと座板を廃止すると共にリング状の前記濾枠押えに代えて、濾過エレメントの周縁部を濾枠を介して押さえ得ると共に同時に最上部の濾過エレメントの管状部端面を押さえ得る上部押え部材を設け、しかも上部押え部材は周辺部に前記濾枠締付ボルトを通し得るボルト孔を設けると共に前記濾枠締付ボルトを上部押え部材締付ボルトとして使用し前記ボルト孔に挿通後ナットで締め付けることにより濾枠を介して濾過エレメントの周縁部を押圧可能とすると共に、上部押え部材の中心部には前記ナットの締付け時に同時に最上部の濾過エレメントの管状部の上部端面を押圧すると共に各濾過エレメントの管状部の端面同士間に押圧力を働かせ得る押圧部を設けて構成されるようにした液体濾過装置。
【請求項２】
請求項１記載の液体濾過装置において、上部押え部材の中央部にはウエイトを着脱可能に載置し、あるいは着脱不能に固定して下向きの押圧力を加えた状態で、上部押え部材のボルト孔に挿通した上部押え部材締付ボルトに取り付けられたナットをスパナ等の締付工具を使用しないで手の指で締付け得るようにした液体濾過装置。
【請求項３】
請求項１もしくは２記載の液体濾過装置において、濾枠締付ボルトもしくは上部押え部材締付ボルトは６〜１２個であり、ウエイトは５〜２０Ｋｇ、濾過エレメントの積み重ね段数は１０〜１５段である液体濾過装置。
【考案の詳細な説明】
【技術分野】
【０００１】
本考案は、濾紙を使用した液体濾過装置に関するものであり、特に濾紙用保持具上に濾紙を配置した濾過エレメントを複数段重ねて使用するようにした液体濾過装置に関するものである。
本考案の液体濾過装置は、例えば薬液の一次濾過に用いる濾過装置に好適に使用可能である。
【背景技術】
【０００２】
輸液等の薬液の製造現場においては、液の調製工程と充填工程との間に濾過工程が置かれるが、それに用いる濾過装置としては、種々のタイプがあり、一次濾過に使用するものとしては複数の濾紙を重ねた構造のものが普及している。このタイプの濾過装置は、リング状の濾枠、台板（濾紙用保持具）上に濾紙を配置したものを順に重ねることにより組み立てられ、最後はその周縁部をリング状の濾枠押えで押さえると共に、その濾枠、台板、濾紙を重ねた部分の中心部にはセンター座板を重ねてからボルト締めすることにより固定される。なお、センター座板を重ねて置く箇所は濾枠押え上にはなく、独立した別個の部材上に設けられている。
【０００３】
ところが、前記濾過装置は、ときに濾紙が破れることがあり、これが破れると修繕するためにはかなりの時間を要し、その時間製造ラインを止めておかねばならないし、さらに２次濾過のフィルターが目詰まりしてしまうという問題点があった。なお、従来より濾紙を使用した濾過装置について、例えば下記特許文献に示すように種々提案されているが、濾紙破れの課題解決を意図するものは見当たらない。
【特許文献１】特開２０００−２８２０７９
【特許文献２】特開２０００−２７９７１２
【特許文献３】特表２００３−５０９１９９
【特許文献４】特開２００１−１０４７１７
【考案の開示】
【考案が解決しようとする課題】
【０００４】
解決しようとする問題点は、液体濾過装置に使用した濾紙が破れ易い点であり、これを解決しようとするものである。
【０００５】
ところが、濾紙の破れは、濾過装置を分解しないと検知できない場合が多く、
上記問題点の解決は困難を極めたが、本願考案者は濾紙破れの原因を長年にわたって鋭意探求しているうちに、濾枠押えやセンター座板はレンチ締めされるため、その締付け力が均等でないことが原因であることが判明した。そこで、本願考案者はセンター座板とその締付用ボルトを廃止し、これと同様な働きをする部分（押圧部）を濾枠押えの役割をなす同一部品中に設け各部の締め付け力を均等にさせることを想到し、本願考案を完成したものである。
【０００６】
本考案はこのような事情を背景としてなされたものであり、本考案の目的は、
濾紙破れを防止し得る液体濾過装置を提供することである。
【課題を解決するための手段】
【０００７】
上記目的を達成するためになされた本考案は、次のように構成される。
Ａ  濾過槽内に配置される液体濾過装置であって、多数の小孔を有する導管が立設された基台上には、リング状の濾枠、濾過エレメントの順に所要段数積み重ね、しかも濾過エレメントは互いに対向する頂角の大きな傘状の外壁部が内側に空洞を生ずる状態に一体化されると共に両外壁部の中心部間には内側に貫通孔を有する管状部が設けられると共に管状部と両外壁部には複数の小孔が形成されてなる台板とこの台板の両面に配置された濾紙を備えて構成され、かつ濾過エレメントは管状部内の貫通孔が前記導管に挿通された状態に配置され、さらに濾枠、濾過エレメントが所要段数積み重ねられたその上方にリング状の濾枠押えを配置し、一方基台上には濾過エレメントの外周部を取り巻く位置に複数の濾枠締付ボルトが立設され、このボルトを濾枠押えのボルト孔に挿通後ナットで締め付けることにより濾枠を介して濾過エレメントの周縁部を押圧可能とすると共に前記導管内に立設されたセンターボルトの上端に座板を嵌め入れてからナットで締め付けることにより各濾過エレメントの管状部端面を当接させて閉塞することを可能とし、濾過槽内に供給された液体は濾紙を浸透し、濾過されて濾過エレメントの小孔を通り導管に設けた小孔を経て導管内に入り導管の一端側から流出させ得るようにした液体濾過装置において、
前記センターボルトと座板を廃止すると共にリング状の前記濾枠押えに代えて、濾過エレメントの周縁部を濾枠を介して押さえ得ると共に同時に最上部の濾過エレメントの管状部端面を押さえ得る上部押え部材を設け、しかも上部押え部材は周辺部に前記濾枠締付ボルトを通し得るボルト孔を設けると共に前記濾枠締付ボルトを上部押え部材締付ボルトとして使用し前記ボルト孔に挿通後ナットで締め付けることにより濾枠を介して濾過エレメントの周縁部を押圧可能とすると共に、上部押え部材の中心部には前記ナットの締付け時に同時に最上部の濾過エレメントの管状部の上部端面を押圧すると共に各濾過エレメントの管状部の端面同士間に押圧力を働かせ得る押圧部を設けて構成されるようにした液体濾過装置。
Ｂ  Ａ項記載の液体濾過装置において、上部押え部材の中央部にはウエイトを着脱可能に載置し、あるいは着脱不能に固定して下向きの押圧力を加えた状態で、上部押え部材のボルト孔に挿通した上部押え部材締付ボルトに取り付けられたナットをスパナ等の締付工具を使用しないで手の指で締付け得るようにした液体濾過装置。
Ｃ  Ａ項もしくはＢ記載の液体濾過装置において、濾枠締付ボルトもしくは上部押え部材締付ボルトは６〜１２個であり、ウエイトは５〜２０Ｋｇ、濾過エレメントの積み重ね段数は１０〜１５段である液体濾過装置。
【考案の効果】
【０００８】
本考案の液体濾過装置は、上部押え部材の周辺部には上部押え部材締付ボルトを挿通するボルト孔が形成され、挿通されたボルトにナットを嵌め締め付けると上部押え部材は濾枠を介して濾過エレメントの濾紙の周縁部を押圧するようになるが、上部押え部材の中心部付近には濾過エレメントの管状部端面を押し付ける押圧部が設けられているので、上部押え部材を上部押え部材締付ボルトで締め付け濾過エレメントの濾紙を押圧するようにすると、上部押え部材に形成された押圧部は同時に濾過エレメントの管状部端面を押圧するようになり、両者の押圧力（締付け力）は均等化し、ばらつきが生じ難くなる結果、濾紙が破れることを防止できる利点がある。また、上部押え部材締付ボルトに嵌めたナットをスパナ等の締付け工具を使用しないで手の指で締め付けると共に上部押え部材上にウエイトを載せるようにすれば、手締めでは締付け力に個人差が生じ難く、ウエイトは一定の締め付け力を確保できるので、締め付け力をさらに均等にし易くなり、その結果濾紙はさらに破れ難くなるという利点がある。
【考案を実施するための最良の形態】
【０００９】
濾枠に掛かる締め付け力と濾過エレメント中心部の管状部に掛かる締付け力を均等にして濾紙が破れ難くするという本考案の目的を、上部押え部材の周辺部を上部押え部材締付ボルトで締め付けて濾枠を押圧すると、上部押え部材の中心部付近に設けた押圧部が最上部の濾過エレメントの管状部端面に接し、各濾過エレメントの管状部端面を押圧するように構成することで達成した。
【実施例１】
【００１０】
図４において、２は濾過槽であり、その内側に液体濾過装置が配置され、矢印Ｃ方向に供給された液体は濾過されて矢印Ｄ方向に送出するようにされている。図５は液体濾過装置としての輸液濾過装置の従来例を示す。基台４上には濾枠６，濾過エレメント８の順に所要段数積み重ねられ、濾枠押え１０で押圧され固定される。濾枠６はリング状で複数の流入孔を有しリング状部の部分断面が矩形状をなしている。基台４の中央部には多数の小孔を有する導管１１が立設されており、濾過エレメント８はその中心部に形成された貫通孔（図示省略）に導管１１を嵌め入れた状態に積み重ねられる。
【００１１】
濾過エレメント８は図６に示すように、互いに対向する頂角の大きい傘状の  外壁部１２が内側に空洞を生ずる状態に一体化されると共に両外壁部１２の中心部間には内側に貫通孔を有する管状部１４が設けられると共に管状部１４には流通孔２６が、両外壁部１２には複数の小孔１６が形成されてなる台板１８と、この台板１８の両面に配置された濾紙２０を備えて構成される。なお、濾紙２０は中心に孔がある円板状のものである。管状部１４の一端部には嵌合突部２２が形成されると共に他端部には嵌合凹部２４が形成され、隣接する他の濾過エレメントの嵌合突部２２が嵌り得るようにされている。濾紙２０を経て濾過された液体は小孔１６を経て濾過エレメント８内に入り流出孔２６を通り、導管の小孔から導管１１内に入り、外部に導出される。
【００１２】
一方基台４上には、濾過エレメント８の外側円周方向に複数の濾枠締付ボルト２８が立設され、積み重ねた濾枠６、濾過エレメント８の上方に置かれた濾枠押え１０のボルト孔に挿通され、締め付けられる。すなわち、濾枠押え１０は図７に示すように、リング状の本体部３０の外側にボルト挿通部３２が配置され、そのボルト孔に前記濾枠締付ボルト２８が挿通され、ナット２７により締め付けられると、濾枠６を介して濾過エレメント８の周辺部が押圧されるようになる。また、本体部３０には複数の流入孔２９が設けられている。３４は持ち運び用の把手である。
【００１３】
基台４に立設された導管１１内には、さらにセンターボルト３６が立設され、その上端部には図８に示す座板３８が嵌め入れられ、つば付きナット４０で締め付けると各濾過エレメント８の管状部１４が締め付けられるようになる。
ところが、このような従来例では濾過エレメントの中心部と周辺部では締め付け力にばらつきを生じ、その結果濾紙２０が破れ易いという問題点がある。
【００１４】
図１は本考案の実施例を示す。前記従来例と同じで変更を要しないものは同一番号を付して詳しい説明は省略する。従来例と異なる点は、濾枠押え１０の代わりに上部押え部材４２を使用した点と、センターボルト３６を廃止した点である。
上部押え部材４２は図２に示すように、円板状部分の周辺に複数のボルト挿通部４４を配置し、前記濾枠締付ボルト２８を上部押え部材締付ボルトして使用し、これをボルト挿通部４４のボルト孔に挿通してナット２７で締め付けるように構成されている。４１は把手である。
【００１５】
上部押え部材４２の中心部には図３に示すように、有底の円孔に部材４８が嵌合され、その一端には濾過エレメント８の嵌合突部２２が嵌合され、かつその段付き部が部材４８の入り口部に当接して上向きの入り込み位置が規制されるように構成されている。そして、上部押え部材４２を締め付けボルト２８で締め付けたとき部材４８が管状部１４の端部に当接して押圧するようにされている。なお、５０は基台４に立設された導管であり、図３に示すように導管５０には濾過エレメント８の管状部１４内の貫通孔が摺動可能に嵌合されている。そして、管状部１４の流出孔２６が導管５０の孔５２に連通するようにされている。
【００１６】
以上のように構成された液体濾過装置は、上部押え部材４２をボルト２８で締め付けたとき、濾過エレメント８の周辺部と中心部付近とが同時に締め付けられるので、締め付け力が均等に行われ、その結果濾紙２０が破れることを防止できるという利点がある。
【００１７】
また、前記実施例において、上部押え部材４２上にウエイト５４を載せた状態で上部押え部材締付用ボルトに使用するナット２７をレンチ等の締付工具を使用せずに、手の指で締めるようにすることも可能である。手で締めると各人のばらつきが少なく、またウエイトは必要な一定の押圧力を確保し易いという利点がある。
以上本考案の実施例を説明したが、本考案はこのような実施例に何ら限定されるものではなく、本考案の要旨を変更しない範囲において種々なる実施をし得ることはもちろんである。
【産業上の利用可能性】
【００１８】
本考案の液体濾過装置は、薬液に限らず種々の液体の濾過装置としてに好適に使用できる。
【図面の簡単な説明】
【００１９】
【図１】本考案の一実施例を示す説明図である。
【図２】（イ）、（ロ）は同実施例に使用する部品の平面図とＡＯＢ断面図である。
【図３】同実施例の部分拡大断面図である。
【図４】本考案の使用状態を示す概略説明図である。
【図５】液体濾過装置の従来例を示す説明図である。
【図６】本実施例と従来例に使用する部品の断面図である。
【図７】従来例に使用する一部品の部分平面図と断面図である。
【図８】同従来例に使用する他の部品の断面図である。
【符号の説明】
【００２０】
４  基台
６  濾枠
８  濾過エレメント
１０  濾枠押え
１２  外壁部
１４  管状部
１８  台板
２０  濾紙
２８  濾枠締付ボルト（上部押え部材締付ボルト）
４２  上部押え部材
５０  導管
５４  ウエイト
【図１】
0003115804.tif 000003
【図２】
0003115804.tif 000004
【図３】
0003115804.tif 000005
【図４】
0003115804.tif 000006
【図５】
0003115804.tif 000007
【図６】
0003115804.tif 000008
【図７】
0003115804.tif 000009
【図８】
0003115804.tif 000010